(57)【要約】      （修正有）【課題】逆洗によるカートリッジフィルタの粉塵の払落しを十分に行うことができる集塵機を提供する。【解決手段】胴部が通気性を有する筒体状の支持部材１と、支持部材に環装された濾過部材２と、支持部材の一端に装着された中抜き円板状の上部カバー３と、支持部材の他端に装着された円板状の下部カバー４とで成るカートリッジフィルタを、上部カバーを上にして上下方向へ指向させて配設し、カートリッジフィルタの上端開口部に、フィルタを逆洗する圧縮空気を噴射するノズルを望ませたカートリッジフィルタ式集塵機において、支持部材の内壁面の上部にノズルからの圧縮空気の流れを邪魔する第１邪魔板５を、支持部材の内壁面のほぼ中段部に第２邪魔板６をそれぞれ水平状にして装着し、第１邪魔板は、中心部に小径の貫通孔を、その周りに複数の扇形状の貫通孔を放射状に設けた形態に構成し、第２邪魔板は中心部に大径の貫通孔を設けた形態に構成した。【選択図】図１
2010201328.tif 000002
【特許請求の範囲】
【請求項１】
胴部が通気性を有する筒体状の支持部材と、この支持部材に環装された濾過部材と、前記支持部材の一端に装着された中抜き円板状の上部カバーと、前記支持部材の他端に装着された円板状の下部カバーとで成るカートリッジフィルタを、上部カバーを上にして前記上下方向へ指向させて配設し、このカートリッジフィルタの上端開口部に、カートリッジフィルタを逆洗する圧縮空気を噴射するノズルを望ませたカートリッジフィルタ式集塵機において、
前記支持部材の内壁面の上部に前記ノズルからの圧縮空気の流れを邪魔する第１邪魔板を、また前記支持部材の内壁面のほぼ中段部に前記第１邪魔板を通過した圧縮空気の流れを邪魔する第２邪魔板をそれぞれ水平状にして装着し、
前記第１邪魔板は、中心部に小径の貫通孔を、またこの貫通孔の周りに複数の扇形状の貫通孔を放射状に設けた形態に構成し、
前記第２邪魔板は中心部に大径の貫通孔を設けた形態に構成したことを特徴とするカートリッジフィルタ式集塵機。
【発明の詳細な説明】
【技術分野】
【０００１】
本発明は、カートリッジフィルタ式集塵機に係り、より詳しくは、胴部が通気性を有する筒体状の支持部材と、この支持部材に環装された濾過部材と、支持部材の一端に装着された中抜き円板状の上部カバーと、支持部材の他端に装着された円板状の下部カバーとで成るカートリッジフィルタを、上部カバーを上にして上下方向へ指向させて配設し、このカートリッジフィルタの上端開口部に、カートリッジフィルタを逆洗する圧縮空気を噴射するノズルを望ませたカートリッジフィルタ式集塵機に関する。
【背景技術】
【０００２】
従来、カートリッジフィルタ式集塵機においては、上下方向に指向して配設されたカートリッジフィルタの上端開口部から圧縮空気を間歇的に噴射して、カートリッジフィルタの外面に付着した粉塵を払い落とすことが一般に行われている。  
【先行技術文献】
【非特許文献】
【０００３】
【非特許文献１】集塵の技術と装置        １３３ページ
【発明の概要】
【発明が解決しようとする課題】
【０００４】
しかし、このように構成された従来のカートリッジフィルタの粉塵の払落し方法では、カートリッジフィルタの上部内にベンチュリ効果により負圧が発生して、特にカートリッジフィルタの上部位の粉塵の払落しを十分に行うことができない問題があった。   
【０００５】
本発明は上記の問題を解消するためになされたもので、その目的は、上部位を含むカートリッジフィルタ全体の逆洗による粉塵の払落しを十分に行うことができるカートリッジフィルタ式集塵機を提供することにある。 
【課題を解決するための手段】
【０００６】
上記の目的を達成するために本発明のカートリッジフィルタ式集塵機は、胴部が通気性を有する筒体状の支持部材と、支持部材に環装された濾過部材と、支持部材の一端に装着された中抜き円板状の上部カバーと、支持部材の他端に装着された円板状の下部カバーとで成るカートリッジフィルタを、上部カバーを上にして上下方向へ指向させて配設し、カートリッジフィルタの上端開口部に、カートリッジフィルタを逆洗する圧縮空気を噴射するノズルを望ませたカートリッジフィルタ式集塵機において、支持部材の内壁面の上部にノズルからの圧縮空気の流れを邪魔する第１邪魔板を、また支持部材の内壁面のほぼ中段部に第１邪魔板を通過した圧縮空気の流れを邪魔する第２邪魔板をそれぞれ水平状にして装着し、第１邪魔板は、中心部に小径の貫通孔を、またこの貫通孔の周りに複数の扇形状の貫通孔を放射状に設けた形態に構成し、第２邪魔板は中心部に大径の貫通孔を設けた形態に構成したことを特徴とする。  
【０００７】
このように構成されたものは、ノズルから圧縮空気が高速度でカートリッジフィルタの上端開口部に向けて噴射されると、当該圧縮空気は、まず、第１邪魔板によって下方への直線的な進行が阻止されてその速度を大幅に遅くされるとともに反転流を生成してカートリッジフィルタの内圧を上昇させたのち第１邪魔板を通過して第２邪魔板の上方に達し、続いて、第２邪魔板の上方に達した圧縮空気も第２邪魔板によって反転流を生成する。この結果、カートリッジフィルタの内圧はカートリッジフィルタ全体がほぼ一様になってカートリッジフィル全体を一様の圧力で内側から均一に加圧し、カートリッジフィル全体の粉塵の払落しが行われることとなる。
【発明の効果】
【０００８】
上記の説明から明らかなように本発明によれば、ノズルからカートリッジフィルタの上端開口部に向けて高速度で噴射された圧縮空気が、第１邪魔板によってその速度を大幅に遅くされたのち第１邪魔板を通過して第２邪魔板の上方に達し、これに伴い、特にカートリッジフィルタ上部の内圧が比較的高くなり、この結果、カートリッジフィルタの内圧は、カートリッジフィルタ全体がほぼ一様になってカートリッジフィル全体を一様の圧力で内側から均一に加圧し、カートリッジフィル全体の粉塵の払落しが行われるなどの優れた実用的効果を奏する。  
【図面の簡単な説明】
【０００９】
【図１】本発明の一実施例を示す一部断面正面図である。
【図２】図１の平面拡大図である。
【図３】図１のＡ−Ａ矢視拡大図である。
【図４】図１のＢ−Ｂ矢視拡大図である。
【発明を実施するための形態】
【実施例】
【００１０】
以下、本発明を適用したカートリッジフィルタの一実施例について図１〜図４に基づき詳細に説明する。本カートリッジフィルタは、図１および図２に示すように、胴部が通気性を有する筒体状の支持部材１と、支持部材１に環装された濾過部材２と、支持部材１の上端に装着された中抜き円板状の上部カバー３と、支持部材１の下端に装着された円板状の下部カバー４とで構成してある。そして、本カートリッジフィルタは、上部カバー３を上にして上下方向へ指向させて配設してある。
【００１１】
また、図１に示すように、支持部材１の内壁面の上部にはノズル（図示せず）からの圧縮空気の流れを邪魔する第１邪魔板５が水平状にして固着してある。また、図１に示すように、支持部材１の内壁面のほぼ中段部には第１邪魔板５を通過した圧縮空気の流れを邪魔する第２邪魔板６が水平状にして装着してある。
そして、第１邪魔板５は、図３に示すように、中心部に小径の貫通孔７を、またこの貫通孔７の周りに複数の扇形状の貫通孔８・８を放射状に設けた形態を成している。また、第２邪魔板６は、図４に示すように、中心部に大径の貫通孔９を設けた形態を成している。
【００１２】
このように構成したものは、ノズルから圧縮空気が高速度でカートリッジフィルタの上端開口部に向けて噴射されると、当該圧縮空気は、まず、第１邪魔板５によって下方への直線的な進行が阻止されてその速度を大幅に遅くされるとともに反転流を生成したのち第１邪魔板５の貫通孔７および貫通孔８・８を通過して第２邪魔板６の上方に達し、続いて、第２邪魔板６の上方に達した圧縮空気も第２邪魔板６によって反転流を生成する。これに伴い、特にカートリッジフィルタ上部の内圧が比較的高くなり、この結果、カートリッジフィルタの内圧は、カートリッジフィルタ全体がほぼ一様になってカートリッジフィル全体を一様の圧力で内側から均一に加圧してカートリッジフィル全体の粉塵の払落しが行われることとなる。
【符号の説明】
【００１３】
１    支持部材
５    第１邪魔板
６    第２邪魔板
７；８；９    貫通孔
【図１】
2010201328.tif 000003
【図２】
2010201328.tif 000004
【図３】
2010201328.tif 000005
【図４】
2010201328.tif 000006